(57)【要約】加熱装置（２３）と接触ブラケット（７４，７５，７６，７７）とを有する脱毛装置（１）であり、加熱装置（２３）は、軟化され得る毛除去媒体を備える脱毛テープ（２）を加熱するために設計され、接触ブラケット（７４，７５，７６，７７）は、加熱装置（２３）に対して適用された脱毛テープ（２）を保持するために設計されている。
2006523490.tif 000002
【特許請求の範囲】
【請求項１】
ハウジングと、
該ハウジング内の貯蔵空間とを有し、
該貯蔵空間は、脱毛テープの蓄積物を収容するために設けられ、
前記脱毛テープは、加熱によって軟化可能とされた毛除去媒体を備えると共に、蓄積物から取り出されて人の皮膚に貼付可能とされた、脱毛装置であって、
当該脱毛装置は、
前記蓄積物から取り出された脱毛テープが長手テープ方向で供給可能とされた加熱装置と、
該加熱装置に対向して配置された加圧手段とをさらに有し、
前記加熱装置と協働する脱毛テープの各テープ部分は、前記脱毛テープが前記毛除去媒体を備えた状態で人の皮膚に貼り付けられる以前に、前記毛除去媒体を軟化する目的で、前記加熱装置によって加熱可能とされ、
前記加熱装置と協働する前記脱毛テープのテープ部分は、前記加圧手段によって、前記長手テープ方向と平行な接触ゾーンに沿って前記加熱装置に適用状態に保持される、
脱毛装置。
【請求項２】
前記加熱装置は、脱毛テープと直接的に協働するために設計された板形状の加熱壁を有し、前記接触手段は、相互に隣り合って配置されたストリップ形状又はワイヤ形状の接触ブラケットを備えた、脱毛テープの長手テープ方向に対して横断して延びる少なくとも二列のブラケットを有し、前記接触ブラケットは、加熱壁に対向して配置され、加熱装置と協働する脱毛テープの各テープ部分は、前記接触ブラケットによって加熱壁に対して適用状態に保持される、
請求項１に記載の脱毛装置。
【請求項３】
相互に隣り合って延びるストリップ形状又はワイヤ形状の接触ブラケットを備えた、長手テープ方向に対して横断方向に延びる前記ブラケットの３乃至６つの列が設けられている、請求項２に記載の脱毛装置。
【請求項４】
前記接触ブラケットは弾性材料からなる、請求項２に記載の脱毛装置。
【請求項５】
前記接触ブラケットはバネワイヤ材料からなる、請求項４に記載の脱毛装置。
【請求項６】
前記接触手段は板状の支持壁を有し、前記接触ブラケットは前記維持壁に接続されている、請求項２に記載の脱毛装置。
【発明の詳細な説明】
【技術分野】
【０００１】
ハウジングと、ハウジング内の貯蔵空間とを有し、貯蔵空間は、脱毛テープの蓄積物を収容するために設けられ、脱毛テープは、加熱によって軟化され得る毛除去媒体を備えると共に、蓄積物から取り出されて人の皮膚に貼付可能とされた脱毛装置に関し、脱毛装置は、蓄積物から取り出された脱毛テープが長手テープ方向で供給可能とされた加熱装置をさらに有し、加熱装置と協働する脱毛テープの各テープ部分は、脱毛テープが毛除去媒体を備えた状態で人の皮膚に貼り付けられる以前に、毛除去媒体を軟化する目的で、前記によって加熱可能とされる。
【背景技術】
【０００２】
上記第一段落に記載されている構造の脱毛装置は、欧州特許公報第ＥＰ０７３８４８２号から既知である。既知の脱毛装置において、脱毛テープの蓄積物を収容するために、貯蔵リール及び巻取リールが脱毛装置のハウジング内部に存在する貯蔵空間に設けられている。これらの２つのリールの間には、脱毛テープが、既知の脱毛装置の瞬間的な動作状態に依存するテープ経路に沿って延びている。既知の装置では実質的に立方体形状を有する加熱装置が、貯蔵リールと巻取リールとの間のテープ経路に設けられており、その結果、脱毛テープは、第一側壁、第二側壁、及び、２つの側壁の間に位置する端壁に沿って移動することになる。実質的にＬ字形状の加熱板が加熱装置内に設けられている。脱毛テープは第一側壁の領域及び端壁の領域で加熱板によって加熱可能とされている。脱毛テープは貯蔵リールと巻取リールとの間に緊張して保持されている故に、脱毛テープは、既知の装置内の加熱装置に対して適用状態に保持される。これは制御可能なキャッチが２つのリールと協働する故に特に達成される。キャッチは、脱毛テープの緩みを引き起こしかねない２つのリールの望ましくない回転を防止する働きを行う。脱毛テープを緊張するための手段の不完全な動作は、加熱装置と協働する脱毛テープのテープ部分、具体的には、テープ部分のうちの加熱装置の第一側壁に沿って移動する区域が、テープ部分のこの部分が脱毛装置のハウジングのハウジング壁と接触するようになるまで、加熱装置から除去されるようになり得るという状況を引き起こす危険性が既知の装置にある。このため、この領域において既に加熱された、従って、軟化された脱毛テープが、ハウジング壁に対して位置し、次に、ハウジング壁に対して冷却され、よって、ハウジング壁に付着するという残念な結果になる。これは少なくとも誤作動の原因となり、最悪の場合には、修理を必要とし、それは望ましくなく、不利である。
【発明の開示】
【発明が解決しようとする課題】
【０００３】
本発明の目的は、上記に記載された状況を解消し、且つ、改良された脱毛装置を提供することである。
【課題を解決するための手段】
【０００４】
上記の目的を達成するために、本発明に従った脱毛装置が以下のように特徴付けられるよう、発明的な特徴が本発明に従った脱毛装置に設けられている。
【０００５】
脱毛装置は、ハウジングと、ハウジング内の貯蔵空間とを有し、貯蔵空間は、脱毛テープの蓄積物を収容するために設けられ、脱毛テープは、加熱によって軟化され得る毛除去媒体を備えると共に、蓄積物から取り出されて人の皮膚に貼付可能とされ、脱毛装置は、さらに、蓄積物から取り出された脱毛テープが長手テープ方向で供給可能とされた加熱装置と、加熱装置に対向して配置された加圧手段とを有し、加熱装置と協働する脱毛テープの各テープ部分は、脱毛テープが毛除去媒体を備えた状態で人の皮膚に貼り付けられる以前に、毛除去媒体を軟化する目的で、加熱装置によって加熱可能とされ、加熱装置と協働する前記脱毛テープのテープ部分は、加圧手段によって、長手テープ方向と平行な接触ゾーンに沿って加熱装置に適用状態に保持されることを特徴とする。
【０００６】
本発明に従った特徴の提供は、本発明に従った脱毛装置において、加熱の故に毛除去媒体が既に軟化された、常に加熱装置と協働する脱毛テープの各テープ部分が、加熱装置から離れて不利に持ち上げられることが決してないことが常に保証されることを、構造的に単純な方法で且つ小さな追加的出費で達成する。それによって、加熱装置に対向して位置する本発明に従った脱毛装置の一部、例えば、脱毛装置のハウジングへの望ましくない付着又は接着が防止される。加圧手段は脱毛テープを常に加熱装置の接触ゾーンの全体に沿って満足に位置させるので、本発明に従った脱毛装置のさらなる利点は、加熱装置から脱毛テープへの良好な熱伝達、従って、脱毛テープ、よって、脱毛テープに含まれる軟化可能な毛除去媒体の良好且つ迅速な加熱が保証されることである。
【０００７】
本発明に従った脱毛装置では、例えば、比較的引裂抵抗性のあるキャリアフォイル、及び、キャリヤフォイル上に設けられたワックスのような毛除去媒体、並びに、毛除去媒体を被覆する保護フォイルを含む脱毛テープを用い得る。そのような脱毛テープと協働するために設計された本発明に従った脱毛装置では、加熱装置及び加圧手段の間に通路が形成されるよう、加熱装置及び加圧手段を構成し得る。この通路の高さは本質的に脱毛テープの厚さに対応するので、脱毛テープは加熱装置に対してこのように保持されるのに加え、保護フォイルは毛除去媒体を備える脱毛テープが加圧手段に接着するのを防止する。加熱装置及び加圧手段を通過後であるが、脱毛テープが毛除去媒体を用いて人の皮膚に貼り付けられる前に、そのような脱毛装置の脱毛テープの保護フォイルは、脱毛テープの毛除去媒体から引き剥がされる。しかしながら、本発明に従った脱毛装置において、もし請求項２の特徴が追加的に提供されるならば、極めて有利であることが分かった。これは、保護フォイルを備えない脱毛テープを本発明に従った脱毛装置に用い得るという利点を達成する。何故ならば、圧力手段は、それらの実質的に直線的な構造の故だけで、軟化された脱毛テープの毛除去媒体と極めて狭い領域で動作的に接触状態になるからであるのに対し、それにも拘わらず、それらの軟化の整合性のお陰で、毛除去媒体の均質な分布及び均一な厚さは実質的に不利に影響されない。そのような狭い接触ブラケットを備える本発明に従った脱毛装置のさらなる利点は、脱毛装置の動作終了後、冷却、よって、毛除去媒体の凝固の結果、凝固された毛除去媒体が接触ブラケットを取り囲み、よって、ある程度それらに固着することである。それは、脱毛テープが脱毛テープから望ましくなく引っ張られ得ないことを達成し、さらに、脱毛装置の次の使用において、脱毛テープの毛除去媒体が十分に加熱され、従って、十分に軟化されるまで、脱毛テープが脱毛装置から引っ張られ得ないことを保証する。何故ならば、毛除去媒体は十分に軟化された後に接触ブラケットを開放するだけなので、脱毛テープを脱毛装置から引っ張り、人の皮膚に適用し得るからである。換言すれば、加熱装置が毛除去媒体の正しい軟化のために必要な動作温度に達するまで、脱毛装置は動作状態ではない。
【０００８】
そのような狭い接触ブラケットを備える本発明に従った脱毛装置において、もし請求項３に記載の特徴が追加的に提供されるならば、極めて有利であることが分かった。先行段落で列挙されている利点は、この場合に特に強く保護されている。
【０００９】
そのような接触ブラケットを備える本発明に従った脱毛装置において、もし接触ブラケットが弾性材料から形成されるならば、有利であることが分かった。もし接触ブラケットがバネワイヤ材料から形成されるならば、特に有利であることが分かった。これは、加熱されるべき脱毛テープが選択的なバネ力で加熱装置に対して押圧されることを達成し、実際の実験において特に有利であることが分かった。
【００１０】
板の形態の加熱壁を有する加熱装置を備える本発明に従った脱毛装置において、もし加圧手段が板形状の支持壁を有し、接触ブラケットがこの支持壁に接続されるならば、有利であることが分かった。そのような構造は、可能な限りコンパクトで信頼性のある実施態様を達成するために有利である。代替的に、本発明に従った脱毛装置のハウジングのハウジング壁によって支持壁を形成し得ることに留意すべきである。
【００１１】
本発明の上記及びさらなる特徴は保証的な実施態様の記載から明らかになり、これらの実施態様を参照してより詳細に説明する。
【００１２】
図面に示される実施態様を参照して本発明を以下に詳細に説明するが、本発明は決してそれらに限定されない。
【発明を実施するための最良の形態】
【００１３】
図１、２及び３は、脱毛装置１を示している。脱毛装置１は、人の皮膚から毛を引っ張る働きをする。脱毛装置１は所謂ワックス脱毛装置であり、毛の除去はワックスを用いて行われる。本発明の場合、ワックスは、例えば、スパチュラ又は類似の工具を用いて人間の皮膚に貼り付られず、脱毛テープ２によって貼り付けられる。
【００１４】
脱毛テープ２は本質的に細長い樹脂フォイルから成り、ワックスが毛除去媒体としてフォイル上に設けられている。従って、脱毛テープ２はフォイル側３とワックス側４とを有する。ワックスは、この場合、加熱によって軟化し得るワックスであり、軟化後、人の皮膚に貼り付けられ、次に、冷却され、よって、除去されるべき毛を取り囲みので、脱毛テープ２が冷却されたワックスを備える皮膚から引き剥がされる故に、次に、ワックスによって取り囲まれ保持された毛が皮膚から引き抜かれる。代替的に、毛を取り囲み且つ金綱氏に毛を引き剥がすのに適したワックスを用い得ることに留意するべきである。両方の種類のワックスを商業的に入手可能である。
【００１５】
脱毛装置１はハウジング５を有する。図３に示されるように、ハウジング５の断面は、丸みを有する隅部を備えた概ね鋭角な三角形の形状である。ハウジング５は、カバー領域６と、底部領域７と、正面領域８と、背面領域９と、第一側面領域１０と、第二側面領域１１とを有する。ハウジング１５によって取り囲まれた脱毛装置１の内部領域１２がアクセス可能であるよう、第二側部領域１１をハウジング５の残部から取り外し可能である。よって、脱毛テープ２を脱毛装置２内に容易に導入し得る。脱毛テープ２を人の皮膚に貼り付けるために、脱毛装置１の操作中、前方方向の正面領域８を用いて、脱毛装置１を人の皮膚に亘って矢印１３によって指し示される操作方向に移動し得る。
【００１６】
脱毛装置１の内部領域１２の一部は、収納空間１４として提供され且つ設計されている。収納空間１４は、脱毛テープ２の貯蔵物１５を収容するために設計されている。蓄積物１５は、この場合には、テープロール１５によって形成され、このテープロール１５は積み重なった複数層の脱毛テープ２から成る。テープロール１５は脱毛テープ２の巻上げによって形成される。
【００１７】
脱毛テープ２の巻上げによって形成されるテープロール１５を保持するために、リールが脱毛装置１内に設けられている。リール１６は収納空間１４内に収容され、リール軸１７について回転可能に脱毛装置１内に支持されている。リール１６は、中空の円筒スリーブ型ハブ１８と、ハブ１８に一体的に接続された２つのフランジ１９，２０とを有する。フランジ１９は図２０、２１、及び、２２に見られる。リール１６は、ハブ１８が軸受スリーブ２１上に存在する状態で配置されている。この軸受スリーブ２１は、第一側壁領域１０に不動に接続されている。リール１６は軸受スリーブ２１によって軸支されている。
【００１８】
脱毛装置１内のリール１６は、貯蔵リール、即ち、人の皮膚上に貼り付けるために脱毛テープ２を繰り出し得る供給リール、及び、収容リールの双方として特に有利に設計されている。これは、リール１６が二重機能を果たし、脱毛テープ２を繰り出すためのみならず、予め人の皮膚に貼り付けられた脱毛テープ２を巻き取るためにも提供され且つ構成されていることを意味する。これによって、予め人の皮膚に貼り付けられた脱毛テープ２を収容するために、別個の巻取リールを脱毛装置１に設ける必要がないという利点がもたらされ、これは可能な限りコンパクトな構造の脱毛装置１を得るために有利である。この解決法によって、脱毛テープ２の脱毛テープ部分を連続して数回人の皮膚に貼り付け得る、従って、毛の除去のために連続して数回利用し得るというさらなる利点がもたらされ、それは脱毛テープ２の消費を最小限化するために好ましい。
【００１９】
代替的に、貯蔵物１５としてのテープロール１５を備えるリール１６の代わりに、脱毛テープの貯蔵物を脱毛装置１の貯蔵空間内に保持することが可能である。脱毛テープ２は貯蔵物内でジグザグ又は蛇行した経路に従い、また、脱毛テープ２は、駆動ドラム及び脱毛テープ２を駆動ドラムに対して押圧する対抗ドラムによって駆動され得るので、脱毛テープ２は、人の皮膚に貼り付けられるために、２つのドラムによって貯蔵空間から引き出され、また、脱毛テープ２が貯蔵空間１４へ戻る間、２つのドラムによって貯蔵空間に押し戻される。
【００２０】
脱毛テープ２は、脱毛装置１のハウジング５の内部領域１２において、貯蔵空間１４、即ち、リール１６から、ガイドローラ２２を介して、反対側に接触手段２４が配置された加熱装置２３に沿って、調節可能に取り付けられた駆動停止手段２６のテープセンサピン２５の方向へ、テープセンサピン２５から調節可能に取り付けられた貼付手段２８の貼付ローラ２７へ、貼付ローラ２７から停止手段３０の停止ブロック２９へ、最終的に、停止ブロック２９から脱毛テープ２の自由端３１へ流れる。調節可能に取り付けられた切断装置３２が、停止ブロック２９と脱毛テープ２の自由端３１との間のテープ部分の近傍に設けられている。
【００２１】
脱毛動作中、加熱装置２３によって加熱された脱毛テープ２は、貼付ローラ２７によって皮膚に貼り付けられ、その間、リール１６が繰り出される脱毛テープ２によってが駆動される、即ち、回転されるよう、脱毛テープ２がリールから繰り出される。そのような脱毛動作中に人の皮膚に貼り付けられた脱毛テープ２をリール１６に再度巻き取るために、リール１６を駆動することが必要である。
【００２２】
予め人の皮膚に貼り付けられた脱毛テープ２を巻き上げる目的でリールを駆動するために、脱毛装置１はモータ３３を有する。モータ３３はハウジング５内に収容され、上記の通り、リール１６を駆動するために構成されている。脱毛装置１内のリール１６は特別に有利な構造であり、リール軸１７と同軸な収容空間３４が、リール１６の中空の円筒ハブの内側に設けられている。リール１６がモータ３３を取り囲むよう、モータ３３は空間３４内に収容されている。リール１６を軸支する軸受スリーブ２１がモータ３３とリール１６のハブ１８との間に存在するので、リール１６はその収容空間３４に挿入されたモータ３３に対して回転可能である。よって、モータ３３は、脱毛装置１内に不動に支持された中空の円筒形軸受スリーブ２１内に導入され、リール１６は軸受スリーブ２１によって回転可能に支持されている。また、リール軸１７に対し直交して見ると、脱毛装置１内のモータ３３はリール１６の完全に内側に位置し、それは特に空間節約的な構造を達成するために極めて有利である。
【００２３】
脱毛装置１内のモータ３３とリール１６との間には駆動手段３５が設けられ、その構造は図４及び５に見られる。駆動手段３５は歯車伝達装置３５として構成されている。駆動手段３５はモータ３３によって駆動可能であり、予め人の皮膚に貼り付けられた脱毛テープ２を巻き上げる目的で、駆動手段３５はリール１６を駆動可能である。歯車伝達装置３５は、モータシャフト３６に固着された第一歯車３７を含む。歯車伝達装置３５は、第一歯車３７と協働する第二歯車３８をさらに含む。図４及び５において第二歯車の下方に位置する第三歯車は、第二歯車３８と同軸に接続されている。第四の、歯車伝達装置３５の最終歯車３９は、第三歯車と歯合している。最終歯車３９は、リール１６の歯付きリム４０と歯合している。歯４０は内歯車の一部を形成する。最終歯車３９は、脱毛装置１内に不動に設けられたスピンドル４１について回転可能に支持されている。さらに、キャリア４２がスピンドル４１について旋回される。第二歯車３８及び同軸の第三歯車は、キャリア４２上のスピンドル４３について回転可能に支持されている。第二歯車３８及び第三歯車は、キャリア４２によって旋回的に保持されているので、第二歯車３８は、図４に見られるオン位置と図５に見られるオフ位置との間で旋回可能である。オン位置において、第二歯車３８は第一歯車３７と歯合している。オフ位置において、第二歯車３８は第一歯車３７から離脱している。従って、第二歯車３８のオン位置は、モータ３３とリール１６との間の駆動接続をもたらす。脱毛テープ２の繰出しが歯車伝達装置３５によって妨害されるのを防止するよう、第二歯車３８のオフ位置は、モータ３３とリール１６との間の駆動接続を解除する。
【００２４】
脱毛装置１は、キャリア４２を調節するためのオン／オフ摺動ボタン４４を有する。このボタン４４は、図３及び５に見られるオフ位置と図４に見られるオン位置との間で移動可能である。オン／オフ摺動ボタン４４は、ハウジング５のカバー領域内で、ハウジング５に対して摺動可能に案内及び保持される。オン／オフ摺動ボタン４４はバネ（図面には現れていない）と協働し、バネはオン／オフ摺動ボタン４４を図３及び５に示されるオフ位置に保持する傾向がある。オン／オフ摺動ボタン４４は、１つの指、好ましくは、人差し指を用いて、オン／オフ摺動ボタンに接続されたバネの力に抗して、オフ位置からオン位置へ移動可能である。オン／オフ摺動ボタンが解放されると、オン／オフ摺動ボタン４４は、作用するバネの影響の下で、オン位置から再度オフ位置に自動的に戻る。
【００２５】
固定シャフト４５について旋回可能な調節レバー４６が、オン／オフ摺動ボタン４４に接続されている。中間レバー４８が、リンク４７を介して、調節レバー４６に接続され、再度さらなるリンク４９を介して、キャリア４２に接続されている。図４及び５に見られるように、キャリア４２は調節レバー及び中間レバー４８によって旋回可能である。調節レバー４６及び中間レバー４８は調節装置５０を形成する。オン／オフ摺動ボタン４４が、モータ３３をオンに切り替えるために設けられたスイッチ位置、即ち、オン位置に保持されるとき、調節装置５０及び調節可能なキャリア４２は、調節可能に支持された第二歯車３８を、歯車伝達装置３５の隣接する第一歯車３７と歯合状態に保持する。
【００２６】
図６に概略的に示されているように、脱毛装置１のモータ制御手段５２のオン／オフスイッチ５１は、オン／オフ摺動ボタン４４によってオン及びオフに切り替えられる。オン／オフ摺動ボタン４４がオン位置に保持されていると、この結果、オン／オフスイッチ５１は閉状態をとることになる。図６にさらに見られるように、モータ制御手段５２は、安全スイッチ５３と、駆動停止スイッチ５４とをさらに含む。図６に示されるように、２つのスイッチ５３，５４は静止状態で閉じている。図６に示される状態では、オン／オフスイッチ５１のオン位置への切替えは、モータ供給源（図示せず）によって供給される供給電圧Ｖをモータ３３に供給することを可能にし、それによって、モータ３３はオンに切り替えられる。安全スイッチ５３は、スイッチオンにされたモータ３３を解除するために提供され且つ構成されている。駆動停止スイッチ５４は、モータ３３に供給される電力供給を遮断するために提供及び構成されている。
【００２７】
駆動手段３５に関して、駆動手段３５は歯車伝達装置３５によって形成される必要がないことを留意すべきである。ベルト伝達装置又は摩擦車伝達装置を代替的に用いてもよい。
【００２８】
よって、脱毛装置１内のリール１６は二重機能を果たす。何故ならば、リール１６は、脱毛テープ２の一部を人の皮膚に貼り付けるよう、脱毛テープ２をリール１６に保持されたテープロール１５から繰り出すこと、及び、予め人の皮膚に貼り付けられた脱毛テープ２の一部を再度人の皮膚から引っ張るよう、脱毛テープ２をリール１６に保持されたテープロール１５上に巻き上げることの双方のために提供されているからである。ここでは、脱毛テープ２の巻上げ中、リール１６を駆動手段３５によって回転駆動し得る。リール１６のテープロール１５からの脱毛テープ２の繰出し中、駆動手段によって妨害されることなく、換言すれば、第二歯車３８を第一歯車３７から離脱し得るという点で、このリール１６を脱毛テープ２によって回転駆動し得る。
【００２９】
上記のように、脱毛装置１は、加熱によって軟化し得る毛除去媒体を有する脱毛テープ２と共に動作するために提供され且つ構成されている。この場合、この毛除去媒体はワックスによって形成されている。脱毛装置１は、脱毛テープ２を加熱するための加熱装置２３を有する。この装置は図７及び８に部分的に描写されている。図３に見られるように、貯蔵物１５、即ち、リール１６上のテープロール１５から繰り出される脱毛テープ２は、長手テープ方向で加熱装置２３に供給され得る。脱毛テープがそのワックス側を用いて人の皮膚に貼り付けられる前にワックスを軟化する目的から、加熱装置２３は、加熱装置２３と常に協働する脱毛テープ２のテープ部分２Ａを加熱することができる。加熱装置２３はキャリア板５５を含む。板状加熱素子５６がキャリア板５５上に設けられ、この素子は抵抗加熱素子である。加熱素子は所謂ＰＴＣ加熱素子であり得る。加熱素子２３は、キャリア板５５から離れた板状加熱素子５６の側に、板状加熱壁５７を含む。ここでは、板状加熱壁はアルミニウム板によって形成されている。加熱素子５６及び加熱壁５７は図７及び８に示されておらず、図３にのみ示されている。加熱壁５７は脱毛テープ２と直接的に協働するよう設計されている。
【００３０】
脱毛装置１内の加熱装置２３は、図８に示される静止位置と図３及び７に示される動作位置との間に調節可能に取り付けられている。静止位置において、加熱装置２３は、その加熱壁５７が脱毛テープ２から離れた状態で持ち上げられている。動作位置において、加熱装置２３は、図３に見られるように、その加熱壁５７を脱毛テープ２と熱伝導接触させる。加熱装置２３を調節可能にするために、軸受ブロック５８がハウジング５の内部領域１２内に設けられている。２つのガイドピン５９，６０が軸受ブロック５８内に移動可能に支持されている。これらの２つのガイドピン５９，６０は追加ブロック６１に接続され、追加ブロック６１から突出している。追加ブロック６１は加熱装置２３のキャリア板５５と一体的に形成されている。加熱装置２３のための戻りバネ（図示せず）が、軸受ブロック５８と追加ブロック６１との間で活性である。この戻りバネは、加熱装置２３を図８に示される静止位置に保持する傾向がある。
【００３１】
脱毛装置１は、加熱装置２３を静止位置と動作位置との間で移動するための調節手段６２を有する。加熱装置２３は、リール１６からの脱毛テープ２の繰出し中、調節手段６２によって動作位置に保持される。加熱装置２３は、リール１６上の脱毛テープ２の巻上げ中、戻りバネによって静止位置に位置付けられ且つ保持される。
【００３２】
調節手段６２は、第一トグル継手６４及び第二トグル継手６５によって形成されたトグル継手構造６３を含む。これらの２つのトグル継手６４，６５は、リンクボルト６６によって共にリンクされている。第一トグル継手６４は、軸受ブロック５８にリンクされている。第二トグル継手６５は、追加ブロック６１にリンクされている。調節手段６２はスライド６７を含む。スライドの一端は、リンクボルト６６にリンクされ、その他端は、リンク６８（図３を参照）を介して、貼付ローラ２７のための調節可能な保持手段として設けられている調節可能な保持ブラケット６９にリンクされている。これによって、脱毛装置１において、保持ブラケット６９を用いて調節可能に取り付けられた貼付ローラ２７が調節手段６２の一部を形成するという状況に至る。貼付ローラ２７の調節を以下にさらに詳細に議論する。人の皮膚に対する貼付ローラ２７の押付作用、及び、その結果としての貼付ローラ２７の動作位置における貼付ローラ２７の調節は、図３及び７に描写されるように、加熱装置２３が、貼付ローラ２７によって、調節手段６２を介して、その動作位置に調節され得ることを暗示する。
【００３３】
上記のように、加圧手段２４が脱毛装置１内に設けられている。この加圧手段は加熱手段２３の反対側に配置されており、この加圧手段によって、加熱装置２３と常に協働する脱毛テープ２のテープ部分２Ａは、長手テープ方向と平行な接触ゾーンに沿って、即ち、加熱装置２３の加熱壁５７に沿って、加熱装置２３との接触が維持される。脱毛装置１内の接触手段２４は、隣同士に配置されたストリップ形状の接触ブラケット７４，７５，７６，７７を備えた、脱毛テープ２の長手テープ方向に対して横方向に延在する全部で４つのブラケットの列７０，７１，７２，７３を有する。接触ブラケット７４乃至７７は加熱壁５７に対向して配置され、加熱手段と常に協働する脱毛テープ２のテープ部分２Ａを加熱壁５７に対して押し付け続ける。接触ブラケット７４乃至７７は弓形であり、弾性材料、即ち、ストリップ形状の板バネで形成されている。リベット７８乃至８１から離間した接触ブラケットの自由端は、支持壁８２内の通路８３，８４，８５，８６に突出している。代替的な実施態様において、支持壁及び接触ブラケットは、例えば、バネ鋼の金属板から形成された１つの構成要素であり得る。この場合、接触ブラケットはスタンピング及びベンディングによって製造される。合成樹脂の一体構造も利用可能である。
【００３４】
加熱装置２３が図３及び７に示される動作位置に維持されるとき、接触ブラケット７４乃至７７は実際上テープ部分２Ａの全体を加熱装置２３の加熱壁５７に対して押し付け、それによって、脱毛テープ２、従って、脱毛テープ２上のワックスの良好で均質な加熱が達成される。
【００３５】
脱毛テープ２を人の皮膚に貼り付ける目的のための動作中、加熱装置２３によって加熱される脱毛テープ２は、加熱の結果として軟化されるワックスと共に、貼付手段２８の貼付ローラ２７に亘って案内される。よって、貼付手段２８は、貯蔵物１５から取られた、換言すれば、テープロール１５から繰り出された脱毛テープ２を、人の皮膚に貼り付けるために設計されている。貼付ローラ２７を含む貼付手段２８は、脱毛装置１のキャリア手段上に取り付けられている。この場合、このキャリア手段はハウジング５によって形成されている。これは、支持ブラケット６９が旋回軸８７について旋回可能にハウジング５に接続されているからである。支持ブラケット６９はＵ字形状であり、２つの肢部８８，８９と、２つの肢部８８，８９を相互接続するブリッジ部９０とを有する。貼付ローラ２７は２つの肢部８８，８９の間に軸支されている。
【００３６】
貼付ローラ２７は、調節可能な支持ブラケット６９によってキャリア手段として作用するハウジング５に対して調節可能に、即ち、旋回可能に取り付けられている。よって、貼付ローラ２７は、図８に見られる静止位置と図３及び７に見られる動作位置との間で調節可能、即ち、それらの間で旋回可能である。人の皮膚に対して押し付けられると、貼付ローラ２７が図８に示される静止位置から図３及び７に示される動作位置に旋回されるように構成されている。貼付ローラ２７、従って、支持ブラケット６９のこの旋回の結果、貼付ローラ２７に接続された調節手段６２は加熱装置２３の調節を引き起こす。よって、貼付ローラ２７は、調節可能に取り付けられた脱毛装置１の組立体、即ち、加熱装置２３の調節を引き起こす。以下にさらに詳述されるように、貼付ローラ２７は、脱毛装置１の２つのさらなる調節可能に取り付けられた組立体の調節を引き起こす。
【００３７】
脱毛装置１内で貼付ローラ２７に接続された調節手段６２は、貼付ローラ２７に、例えば、貼付ローラ２７の軸受シャフトに直接的に接続されておらず、支持ブラケット６９を介して接続されている。
【００３８】
脱毛テープ２を人の皮膚に貼り付けるために、脱毛装置１は、ハウジング５の底部領域７を用いて、貼り付けられるべき人体部分と実質的に平行に、この人体部分に載置される。それによって、貼付ローラ２７は静止位置から動作位置に移動される。貼付ローラ２７のこの調節によって、上記のような加熱装置の調節が引き起こされる。しかしながら、貼付ローラ２７のこの調節は、停止手段３０の停止ブロック２９のための調節可能な保持装置の追加的な調節、リール１６のための調節可能な停止装置の調節、及び、調節可能な切断装置３２のための遮断ロッドの調節を引き起こす。上記手段について以下にさらに詳細に議論する。
【００３９】
図１及び３から明らかなように、脱毛テープ２は、リール１６から離れた自由端３１の領域に停止手段３０を備える。停止手段３０は停止ブロック２９を含む。チャネル９１が停止ブロック２９内に設けられている。停止ブロックは、図９、１０及び１１に拡大して示されている。脱毛テープ２は、自由端３１に向けられた挿入方向９２（図９乃至１１を参照）で、チャネル９１に導入される。脱毛テープ２は保持部９３によってチャネル９１内で保持される。保持部はこの目的のために設けられている。ここで、保持部９３は、チャネル９１内で脱毛テープ２を締め付けるために設計され且つ配置されている。図９乃至１１の実施態様において、保持部９３は円筒本体９３によって形成されている。円筒本体は、チャネル９１の拡大部９４内に位置付けられると共に、圧縮バネによって負荷されることで、円筒本体９３はチャネル９１の上方の境界壁９６に対して押し付けられて保持される。これによって、保持部９３、即ち、バネ負荷された円筒本体９３は、停止ブロック２９に対する脱毛テープ２の調節を挿入方向に抗して妨げ、且つ、挿入方向での停止ブロック２９に対する脱毛テープ２の調節を解放するよう設計されるということが達成される。停止ブロック２９は、脱毛テープ２の自由端がそのような移動動作中に片手で保持されるという単純な方法で、挿入方向９２に抗して脱毛テープ２に亘って移動され得る。
【００４０】
停止ブロック２９の信頼性のある保持を達成するために、ハウジング５は、停止手段３０、即ち、停止手段３０の停止ブロック２９を、停止ブロック２９の初期位置に収容するための収容室９７をその底部領域７（図３を参照）に有する。停止ブロック２９は、停止ブロックを収容室９７内に保持するための２つの保持段部９８，９９を有する。２つの保持段部９８，９９の各々は、停止ブロック２９の各横凹部１００，１０１に設けられている。
【００４１】
停止ブロック２９を保持するために、図１２乃至１７に見られる保持装置１０２がハウジング５の内部領域に設けられている。保持装置１０２は軸受ブロック１０３を含む。軸受ブロック１０３は、底壁１０４と、２つの側壁１０５，１０６とを含む。実質的にＵ字形状の軸受室１０７，１０８が側壁１０５，１０６から外部に延出している。圧縮バネ１０９，１１０によって負荷された各保持レバー１１１，１１２が、２つの軸受室１０７，１０８の各々内で、旋回軸１１３，１１４について旋回可能に支持されている。２つの保持レバー１１１，１１２はそれらの自由端近傍にスロット１１５，１１６をそれぞれ有する。２つのスロット１１５，１１６は、保持段部９８，９９と協働するために提供され且つ構成されている。楔形の延出部１１７，１１８が、２つの保持レバー１１１，１１２の各々に設けられている。調節ピン１１９，１２０が２つの延出部１１７，１１８の各々と協働する。２つの調節ピン１１９，１２０は支持ブラケット６９のブリッジ部９０から突出している。延出部１１７，１１８及び調節ピン１１９，１２０は、貼付ローラ２７の静止位置と動作位置との間の調節に依存して、保持レバー１１１，１１２を調節するための調節手段を形成する。貼付ローラ２７が人の皮膚に対して押し付けられるのに応じて、図１２乃至１４に示される静止位置から図１５乃至１７に示される動作位置に移動すると、２つの保持レバー１１１，１１２が、調節ピン１１９，１２０によって、並びに、調節ピン１１９，１２０と協働する楔形の延出部１１７，１１８によって、図１２乃至１４に示される保持位置から図１５乃至１７に示される解放位置に旋回し、その結果、停止ブロックの保持段部９８，９９を解放するので、次に、停止ブロック２９を収容室９７から移動し得るような構成とされている。脱毛テープ２が皮膚に対して押し付けられるよう貼付ローラ２７が人の皮膚に押し付けられた後に、既に人の皮膚に対して押し付けられた脱毛テープ２の部分（停止ブロック２９はここに固定される）と動作方向１３に動かされた脱毛テープ２との間の相対的な動作を可能にするために、これは必要である。
【００４２】
検出手段１２１が脱毛装置１内にさらに設けられている。検出手段１２１は、収容室９７内で初期位置にある停止手段３０、即ち、停止ブロック２９の存在を検出するために設けられ且つ構成されている。この目的のための検出手段１２１は、収容室９７内に突出する一端１２２を有するセンサ部１２３を含む。センサ部１２３は、長手方向で調節可能に支持されたピン１２３によって形成されている。ピン１２３の調節可能な支持は、軸受ブロック１０３の底壁１０４に設けられた穿孔、及び、軸受ブロック１０３の軸受タグ１２４の穿孔によって実現されている。センサ部１２３は圧縮バネ１２５によって負荷されている。圧縮バネは、センサ部を、その自由端１２２が収容室９７内に突出するような位置に維持する傾向がある。それによって、停止手段３０、即ち、停止ブロック２９が収容室９７内の初期位置に導入されると、センサ部１２３は停止ブロック２９によって解放位置に移動可能とされることが達成される。この解放位置は図３，１２，１３及び１４に描写されている。
【００４３】
検出手段１２１は、モータ制御手段５２と協働するために設計され且つ配置されている。関連する構成は、脱毛装置１において、モータ制御手段５２の安全スイッチ５３がセンサ部１２３の他端１２６近傍に配置されているのに加え、センサ部１２３がモータ制御手段５２の安全スイッチ５３と協働するために設計及び配置されていることである。ここで、安全スイッチ５３は、モータ３３のスイッチオンを解放するために提供され且つ構成されている。検出手段１２１、即ち、検出手段１２１のセンサ部１２３は、モータ制御手段１２１、即ち、モータ制御手段５２の安全スイッチ５３と協働するので、検出手段１２１が収容室９７内で初期位置にある停止ブロック２９の存在を検出すると、モータ制御手段５２はモータのスイッチオンを解放する。
【００４４】
以下に詳述されるように、脱毛装置内の静止位置と動作位置との間の貼付ローラ２７の調節は、さらなる目的のために、即ち、脱毛装置１の調節可能な切断装置３２との関係で追加的に利用される。
【００４５】
第一に、調節可能な切断装置３２の構造を、図３、１８、１９、２０及び２１を参照して説明する。切断装置３２は、ベース壁１２７と、基底壁１２７と一体の２つの側壁１２８，１２９とを有する。基底壁１２７及び２つの側壁１２８，１２９は、切断装置３２が図３、１８及び２０に示される静止位置にあるとき、これらの３つの壁１２７，１２８，１２９が脱毛装置１のハウジング５の相補を形成するよう配置されている。２つの側壁１２８，１２９から離れた基底壁１２７の端部領域１３０において、ストリップ形状の延出部１３１が基底壁１２７から突出し、ハウジング５内に回転可能に支持されている軸受シャフト１３２がこの突出部を通じている。切断装置３２は軸受シャフト１３２によって旋回可能に支持されている。アーム１３３がストリップ形状の延出部１３１から突出している。３つの圧縮バネ１３６が、ガイドロッド１３７上にそれぞれ載置されてた状態で、アーム１３３の自由端１３４とハウジング５内に不動に設けられたカウンタブロック１３５との間に設けられている。所謂死点装置が、カウンタブロック１３５、圧縮バネ１３６、及び、アーム１３３によって実現されている。これによって、切断装置１３２は静止位置及び動作位置の双方に正しく保持される。
【００４６】
切断装置３２は、脱毛テープ２を切断するために設けられ且つ構成されている。この目的のために、切断装置３２は、切断工具、即ち、２つの側壁１２８及び１２９の間に延在するギザギザ付きナイフ１３８を含む。代替的に、滑らかな切断縁部を備えるナイフが設けられてもよい。
【００４７】
切断装置３２は軸受シャフト１３２によって脱毛装置１内に旋回可能に取り付けられている。よって、切断装置３２は、脱毛装置１の残部に対して、切断工具１３８が切断機能を遂行し得る図３、１８及び２０に見られる休止位置と、切断工具１３８が切断機能を遂行し得る図１９及び２０に見られる動作位置との間で調節可能である。調節手段が切断装置３２を調節するために設けられている。本発明の場合、この手段は、切断装置３２の２つの相互に対向する側壁１２８，１２９によって形成されている。これらの側壁１２８，１２９は、脱毛装置のハウジングの２つの相互に対向する壁部分を同時に形成し、切断装置３２が休止位置にあるとき、この壁部分はハウジング５の隣接するハウジング部分と面一になる。
【００４８】
脱毛装置１内の貼付手段２８、即ち、貼付ローラ２７は、遮断手段１３９を介して、切断装置３２に結合されている。脱毛テープ２が人の皮膚に貼り付けられるときに切断装置３２が休止位置に固定されるよう、結合が構成されている。これを保護するために、図１８乃至２１を参照して以下に説明されるように、次のような解決法が脱毛装置１において実現されている。遮断手段１３９は、遮断ロッド１４０と、遮断ロッド１４０上に載置された戻りバネ１４０とを含む。戻りバネ１４１は、貼付ローラ２７のために、遮断ロッド１４０を支持ブラケット６９の方向に押す傾向がある。遮断ロッド１４０は、貼付ローラ２７に面する端部１４２で、支持ブラケット６９のブリッジ部９０の一部に対して当接している。
【００４９】
貼付ローラ２７が図３、１８及び２０に示されるような動作位置にあるとき、貼付ローラ２７に結合された遮断手段１３９は、遮断ロッド１４０の他端１４３がチェック面１４４に隣接するよう、戻りバネ１４０の力に抗して調節され続ける。このチェック面１４４はストリップ形状の延出部１３１の領域に設けられている。それによって、切断装置３２の休止位置から動作位置への旋回を阻止することが達成される。
【００５０】
ストリップ形状の延出部１３１の領域において、切断装置３２は、延出部１３１から突出するアーム１４５を備える。スロット開口１４５Ａがアーム１４５に設けられている。傾斜レバー１４７のピン１４６がスロット開口１４５Ａ内に突出している。この傾斜レバー１４７はリール１６のための遮断装置として設けられている。傾斜レバー１４７はシャフト１４８について旋回する。ピン１４６は傾斜レバー１４７の第一アーム１４９の自由端の領域に設けられている。傾斜レバー１４７の第二アーム１５０の自由端の領域には、遮断ピン１５０が第二アーム１５０から突出するように設けられている。遮断ピン１５１は、リール１６の歯４０と協働するために設計されている。貼付ローラ２７が図１８及び２０に示される動作位置にあるとき、遮断ピン１５１は歯４０から離脱している。よって、この場合、脱毛テープ２を人の皮膚に貼り付けるよう、リール１６は駆動され得るが、同時に、切断装置３２は休止位置に閉鎖されるので、切断工具１３８によって引き起こされる如何なる怪我も防止される。
【００５１】
人の皮膚への脱毛テープ２の貼付後、脱毛装置１が貼付ローラ２７を用いて再度皮膚から離れるよう持ち上げられると、加熱装置２３のための戻りバネ（図示せず）の影響の下で、貼付ローラ２７は図１９及び２１に示される休止位置に戻るようになる。この結果、遮断ロッド１４０は貼付ローラ２７の方向に移動され、それによって、遮断ロッド１４０の他端１４３はチェック面１４４から離れる方向に移動されることになる。この結果、再度、遮断ロッド１４０の他端１３１はチェック面１４４の調節路にもはや存在しないことになる。脱毛装置１の使用者が、この動作状態において、２つの側壁１２８，１２９によって、切断装置３２を動作位置、即ち、図１６及び１８に見られる切断位置に旋回すると、その結果、遮断ピン１５１がリール１６の歯４０と歯合し、よって、リール１６の回転駆動を阻止するまで、傾斜レバー１４７はスロット開口１４５及びピン１４６によって調節されるので、脱毛テープ２の切断中、リール１６からの脱毛テープ２の望ましくない繰出しが回避されることになる。その上、円弧状に延びる切断装置３２のさらなるチェック面１５２が遮断ロッド１４０の他端１４３に対向して位置している。換言すれば、切断装置３２が開放されているとき、遮断ロッド１４０は軸受シャフト１３２の方向にもはや移動し得なくされる。よって、遮断ロッド１４０の移動が阻止され、この結果、再度、貼付ローラ２７は休止位置に係止され、従って、休止位置から動作位置に旋回し得ないことになる。後者は重要である。何故ならば、貼付テープ２の切断中、リール１６の回転が阻止され、従って、脱毛テープ２は緊張され、それは貼付ローラ２７の調節、従って、停止ブロック２９の開放を引き起こしたかもしれないが、貼付ローラ２７が係止されている故に、これは防止されているからである。さらなる安全スイッチが脱毛装置１内に設けられているが、これは図面に示されていない。さらなる安全スイッチは、切断装置３２が動作位置に旋回されると、スイッチが開放されるよう構成されており、それによって、モータ３３の電力回路が中断される。
【００５２】
脱毛装置１は、その通常動作のために一般電源に接続されている。この結果、加熱装置２３はエネルギー供給され、よって、加熱壁５７を加熱することになる。ここで、加熱壁５７が脱毛テープ２の満足な加熱を達成するのに十分な高温に達するまで、一定の待ち時間が守られるべきである。脱毛テープ２が十分に加熱され得るや否や、脱毛装置１を用いている人は貼付ローラ２７を貼り付けられるべき人体部分に適用する。この結果、貼付ローラ２７が動作位置に傾斜するのに応じて、加熱装置２３は脱毛テープ２の方向に移動することになり、停止ブロック２９が検出手段１２１と共に収容室２９から押され、且つ、モータ制御手段５２の安全スイッチ５３が検出手段１２１によって開放されるよう、保持装置１０２は停止ブロック２９を解放することになり、さらに、切断装置３２は開放に抗して係止されることになる。次に、脱毛装置１は、脱毛されるべき人体部分に亘って動作方向に移動され、その間、脱毛テープ２がこの人体部分に粘着し、その結果、停止ブロック２９は、脱毛テープ２によって、脱毛装置１を用いている人の皮膚上の開始位置に保持される。貼付ローラ２７が脱毛されるべき人体部分の端部に達すると、脱毛装置１を用いている人は貼付ローラ２７を皮膚から持ち上げ、その結果、加熱装置２３及び貼付ローラ２７は、加熱装置２３のための戻りバネによって、動作位置から休止位置に自動的に戻ることになり、停止ブロック２９を保持するために設けられている保持レバー１１１，１１２は、停止ブロック２９を保持するのに適した位置に戻ることになり、さらに、切断装置３２は解放されることになる。
【００５３】
次に、リール１６からの脱毛テープ２のさらなる繰出しに伴って、即ち、脱毛装置１が収容室９７を用いて停止ブロック２９上に適用される得るまで、脱毛装置は動作方向１３に抗して脱毛工程の開始地点に戻る。次に、収容室９７が停止ブロック９７に亘って移動され、脱毛装置１は底部領域７を用いて皮膚に対して押し付けられ、その結果、停止ブロック２９は収容室９７内に入り、よって、検出手段１２１を動作する。停止ブロック２９が収容室９７内に十分に挿入された後、停止ブロック２９は保持手段１０２によって保持され、収容室９７内に固定される。検出手段１２１の調節は安全スイッチ５３を作動し、よって、この安全スイッチ５３は導電状態に切り替わる。この動作状態において、脱毛テープ２の一部は人の皮膚に抗して位置し、その部分は停止ブロック２９から貼付端部地点にまで延びるのに対し、ほぼ同一の長さ部分が貼付端部地点から脱毛装置１に戻って延びる。
【００５４】
次に、脱毛装置１を用いている人は一定の待ち時間の経過を許容し、その待ち時間の間に、予め加熱されたワックスが冷却し、その間に、除去されるべき毛を取り囲む。皮膚に貼り付けられた脱毛テープ２の部分を皮膚から再度引っ張るために、脱毛装置１を用いている人は、今や、オン／オフ摺動ボタン４４をオン位置に移動しなければならない。これは、駆動手段３５の第二歯車３８によって、モータ３３とリール１６との間の駆動連結を構築し、オン／オフスイッチ５１が閉じられる、即ち、導電状態にされる。この結果、モータ３３はエネルギー供給され、従って、リール１６を駆動することになる。これは脱毛テープ２を駆動し、従って、人の皮膚から脱毛テープ２を引っ張る。脱毛テープ２が保持手段１０２によって保持された停止ブロック２９とリール１６上のテープロール１５との間に緊張されるまで、モータ３３の駆動が続く。脱毛テープ２が緊張し出すや否や、駆動停止手段２６が活性化される。その構造を図２２を参照してより詳細に以下に説明する。
【００５５】
駆動停止手段２６は、リール１６の駆動を自動的に終了するために設けられ且つ構成されている。予め人の皮膚に貼り付けられた脱毛テープ２の巻取工程の終点に到達直後、駆動停止手段２６はリール１６の駆動を自動的に終了する。脱毛装置１内の駆動停止手段２６は、モータ３３を自動的にスイッチオフにするために構成されている。駆動停止手段２６はセンサ手段１５３を含む。センサ手段１５３は休止位置と切替位置との間で調節可能に支持されている。センサ手段１５３は、旋回軸１５４について旋回する支持部１５５を含む。支持部１５５は、第一レバーアーム１５６及び第二レバーアーム１５７を備えた２アームレバーとして構成されている。圧縮バネ１５８が第一レバーアーム１５６上に作用する。圧縮バネ１５８はバネ手段を形成し、センサ手段１５３はバネ手段によって図２２に示される休止位置の方向に付勢されている。センサ手段１５３はテープセンサピン２５をさらに含む。テープセンサピン２５は、支持部１５５によって、即ち、支持部１５５の第一支持アーム１５６によって支持され、支持部１５５から突出している。テープセンサピン２５はセンサ手段１５３のセンサ部分を形成し、脱毛テープ２と協働するために設計され且つ配置されている。テープセンサピン２５の長さは脱毛テープ２の幅よりも大きく、それは円滑な協働のために好ましい。テープセンサピン２５は脱毛テープ２の移動経路に突出し、リール１６上への脱毛テープ２の巻取り中、脱毛テープ２によって横断される。予め人の皮膚に貼り付けられた脱毛テープ２の巻取り工程が終点に達すると、換言すれば、上記の脱毛テープ２の緊張が開始すると、センサ手段１５３はリール１６の駆動の自動終了を引き起こす。駆動停止スイッチ５４はこの目的のために設けられている。駆動停止スイッチ５４は、センサ手段と協働するために設計され且つ配置されているので、支持部１５５の第二レバーアーム１５７は駆動停止スイッチ５４を動作可能、即ち、切替可能である。緊張された脱毛テープ２に起因するテープセンサピン２５のズレのために、サンサ手段１５３が、圧縮バネ１５８の力に抗して図２２に示されている休止位置から図２２に示されていない切替位置へ移動する結果、駆動手段５４が第二レバーアーム１５７によって作動されることになり、さらに、その結果、駆動停止スイッチ５４が非導電状態に切り替えられることになる。それによって、モータ３３はスイッチオフにされ、脱毛テープ２が緊張状態に保持される限り、スイッチオフにされたままである。
【００５６】
脱毛テープ２は、フォイル１５９と、フォイル１５９上に設けられたワックス層１５９とによって形成されていることが、図２２により明らかに見られることが図２２上で分かるであろう。
【００５７】
図２３は、さらなる脱毛装置１の一部を示している。貯蔵リール１６１及び巻取リール１６２が図２３の脱毛装置１内に設けられている。図１乃至２２の脱毛装置１におけると同様に、即ち、歯車伝達装置３５を介して、巻取リール１６２内に収容されたモータ３３によって巻取リール１６１を駆動し得る。
【００５８】
加熱装置２３は図２３の脱毛装置１にも設けられており、脱毛テープ２を加熱する働きをする。この場合、加熱装置２３は脱毛装置１内に不動に支持されている。これは、人の皮膚に貼り付けられた脱毛テープ２の予め加熱された部分が加熱装置２３に沿って貯蔵リール１６１に戻る方向に移送されず、巻取リール１６２上に巻き上げられるからである。
【００５９】
駆動停止手段２６も図２３の脱毛装置１に設けられている。この場合の駆動停止手段２６は、実質的にＵ字形状のワイヤブラケット１６３を含み、ワイヤブラケットは、２つの肢部１６４，１６５と、２つの肢部１６４，１６５を相互接続するブリッジ部１６６とを含む。ワイヤブラケット１６３は、図２３に示されている矢印１６７と平行なガイド手段（図示せず）によって摺動可能に支持されている。駆動停止スイッチ１６８が、ワイヤブラケット１６３、即ち、ワイヤブラケット１６３の第一肢部１６４と協働するために設けられている。駆動停止スイッチは、動作方法において、図１乃至２２の脱毛装置１の駆動停止スイッチ５４に対応する。図２３の脱毛装置１において、脱毛テープ２のための巻取工程の終点に達すると、ワイヤブラケット１６３は駆動停止スイッチ１６８に向けて矢印１６７の方向に移動され、それはスイッチを作動し、よって、モータのスイッチオフを引き起こす。
【００６０】
図２４はさらなる脱毛装置１を示している。この脱毛装置１においても、貯蔵リール１６１及び巻取リール１６２が設けられ、モータ３３によって巻取リールを駆動し得る。
【００６１】
図２４の脱毛装置１では、図２３の脱毛装置１の場合と同様に、脱毛装置１内に不動に支持された加熱装置２３が再び設けられている。加圧手段２４も図２４の脱毛装置１内に設けられ、長手テープ方向に延びる脱毛テープ２の一部は、加圧手段によって、加熱装置２３に対して、即ち、加熱装置２３の加熱壁５７に対して押し付けられている。この場合には、長手テープ方向に対する横断方向に延びる３つのブラケットの列１６９，１７０，１７１が設けられ、４つの接触ブラケット１７２，１７３，１７４がブラケットの各列１６９，１７０，１７１に設けられている。接触ブラケット１７２，１７３，１７４はこの場合にはワイヤとして構成され、バネワイヤ材料で形成されている。接触ブラケット１７２，１７３，１７４は、ブロック１７８，１７９，１８０に螺入された締結ネジ１７５，１７６，１７７によって、板状支持壁に締結されている。この場合、支持壁は脱毛装置１のハウジング５のハウジング壁１８１によって形成されている。
【００６２】
図２５、２６、及び、２７は停止ブロック１８２を示している。バネ９５によって負荷された円筒本体９３の代わりに、移動可能な締付タグ１８４、即ち、矢印１８３方向に旋回可能なタグが設けられている点で、停止ブロック１８２は図９、１０、及び、１１の停止ブロック２９と異なる。停止ブロック１８２の構造に大きな困難もなく、脱毛テープを矢印１８５方向で停止ブロック１８２内に導入し得る、即ち、停止ブロック１８２内のチャネル１８６を通過し得るのに対し、脱毛テープ２を矢印１８５方向に抗して停止ブロック１８２から除去することは、締付タグ１８４によって防止される。停止ブロック１８２を通過した脱毛テープに亘って、停止ブロック１８２を矢印１８５の方向に抗して容易に移動し得る。
【図面の簡単な説明】
【００６３】
【図１】本発明の第一実施態様における脱毛装置を示す底面図である。
【図２】図１の脱毛装置の正面図である。
【図３】図１及び２の脱毛装置を拡大して示す、図１中の線ＩＩＩ−ＩＩＩに沿った断面図である。
【図４】図１乃至３の脱毛装置の一部を示す平面図であり、脱毛装置の該部分はオン／オフ摺動スイッチを含み、図４ではオン位置にある。
【図５】オフ位置にあるオン／オフ摺動スイッチを備えた図４の脱毛装置の部分を、図４と同様な方法で示す平面図である。
【図６】図１乃至３の脱毛装置のモータのためのモータ制御手段を概略的に示すブロックスイッチ図である。
【図７】図１乃至３の脱毛装置のさらなる部分を示す斜視図であり、さらなる部分は、動作位置にある調節可能な加熱装置を含み、加熱装置は動作位置にある。
【図８】図７に示される脱毛装置のさらなる部分を図７と同様に示す斜視図であり、加熱装置は休止位置にある。
【図９】脱毛装置の停止ブロックを示す図１１の線ＩＸ−ＩＸに沿う断面図である。
【図１０】図９の停止ブロックの側面図である。
【図１１】図９及び１０の停止ブロックの平面図である。
【図１２】脱毛装置のさらなる部分を示す側面図であり、脱毛装置のさらなる部分は、貼付ローラと、停止ブロックと、停止ブロックのための保持手段とを含み、貼付ローラは休止位置にある。
【図１３】図１２のさらなる部分を示す平面図、及び、図１３の線ＸＩＩＩ−ＸＩＩＩに沿う断面図である。
【図１４】図１２及び１３のさらなる部分を示す、図１３の線ＸＩＶ−ＸＩＶに沿う断面図である。
【図１５】図１２、１３、及び、１４のさらなる部分を示す側面図であるが、貼付ローラは動作位置で示されている。
【図１６】図１２、１３、及び、１４のさらなる部分を示す平面図及び断面図であるが、貼付ローラは動作位置で示されている。
【図１７】図１２、１３、及び、１４のさらなる部分を示す断面図であるが、貼付ローラは動作位置で示されている。
【図１８】図１乃至３の脱毛装置のさらなる部分を示す側面図であり、さらなる部分は、貼付ローラと、貼付ローラと協働するべきリールとを含み、貼付ローラは動作位置で示されている。
【図１９】図１８のさらなる部分を図１８と同様に示す側面図であり、貼付ローラは休止位置にある。
【図２０】図１乃至３の脱毛装置の図１８及び１９のさらなる部分を示す斜視図であり、貼付ローラは動作位置にある。
【図２１】図２０のさらなる部分を図２０と同様に示す斜視図であり、貼付ローラは休止位置にある。
【図２２】図１乃至３の脱毛装置のさらなる部分を上方から見た斜視図であり、脱毛装置のさらなる部分は駆動停止手段を含む。
【図２３】さらなる脱毛装置の一部を図２２と同様に示す斜視図であり、脱毛装置の該部分も駆動停止手段を含む。
【図２４】加熱装置及び加圧手段を含むさらなる脱毛装置を図３と同様に示す斜視図である。
【図２５】さらなる脱毛装置の停止ブロックを図９、１０、及び、１１と同様に示す図２７の線ＸＸＶ−ＸＸＶに沿う断面図である。
【図２６】さらなる脱毛装置の停止ブロックを図９、１０、及び、１１と同様に示す側面図である。
【図２７】さらなる脱毛装置の停止ブロックを図９、１０、及び、１１と同様に示す平面図である。
【図１】
2006523490.tif 000003
【図２】
2006523490.tif 000004
【図３】
2006523490.tif 000005
【図４】
2006523490.tif 000006
【図５】
2006523490.tif 000007
【図６】
2006523490.tif 000008
【図７】
2006523490.tif 000009
【図８】
2006523490.tif 000010
【図９】
2006523490.tif 000011
【図１０】
2006523490.tif 000012
【図１１】
2006523490.tif 000013
【図１２】
2006523490.tif 000014
【図１３】
2006523490.tif 000015
【図１４】
2006523490.tif 000016
【図１５】
2006523490.tif 000017
【図１６】
2006523490.tif 000018
【図１７】
2006523490.tif 000019
【図１８】
2006523490.tif 000020
【図１９】
2006523490.tif 000021
【図２０】
2006523490.tif 000022
【図２１】
2006523490.tif 000023
【図２２】
2006523490.tif 000024
【図２３】
2006523490.tif 000025
【図２４】
2006523490.tif 000026
【図２５】
2006523490.tif 000027
【図２６】
2006523490.tif 000028
【図２７】
2006523490.tif 000029
【国際調査報告】
2006523490.tif 000030
2006523490.tif 000031